(57)【要約】      （修正有）【課題】設置工事等が不要で、洗面台や流し台等に容易に設置可能な乾燥装置を提供する。【解決手段】電動送風機が収容された装置本体２と、この装置本体２に基端が接続された通風部３と、この通風部３の先端に接続された噴出部４とを有する乾燥装置１であって、前記通風部３の横筒部１４に、洗面台Ｓ等に固定するための固定部２１を設けると共に、この固定部２１に吸盤２５を設け、この吸盤２５を、ほぼ平坦で滑らかな前記洗面台Ｓ等の表面に貼り付けることで、前記固定部２１、ひいては前記通風部３や噴出部４を前記洗面台Ｓ等に簡単に固定することができる。【選択図】図１
0003160341.tif 000002
【実用新案登録請求の範囲】
【請求項１】
電動送風機が収容された装置本体と、この装置本体に基端が接続された通風部と、この通風部の先端に接続された噴出部とを有する乾燥装置において、
前記通風部又は噴出部に、洗面台や流し台に固定するための固定部を設けると共に、この固定部に吸盤を設けたことを特徴とする乾燥装置。
【請求項２】
電動送風機が収容された装置本体と、この装置本体に基端が接続された通風部と、この通風部の先端に接続された噴出部とを有する乾燥装置において、
前記通風部又は噴出部に、洗面台や流し台に固定するための固定部を設けると共に、この固定部に粘着部材を設けたことを特徴とする乾燥装置。
【請求項３】
電動送風機が収容された装置本体と、この装置本体に基端が接続された通風部と、この通風部の先端に接続された噴出部とを有する乾燥装置において、
前記通風部又は噴出部に、洗面台や流し台に固定するための固定部を設けると共に、この固定部に磁石を設けたことを特徴とする乾燥装置。
【請求項４】
電動送風機が収容された装置本体と、この装置本体に基端が接続された通風部と、この通風部の先端に接続された噴出部とを有する乾燥装置において、
前記通風部又は噴出部に、洗面台や流し台に固定するための固定部を設けると共に、この固定部に挟持部材を設けたことを特徴とする乾燥装置。
【請求項５】
前記固定部が、前記通風部又は噴出部に対し可動に設けられることを特徴とする請求項１乃至４記載の乾燥装置。
【考案の詳細な説明】
【技術分野】
【０００１】
本考案は、風圧で水を吹き飛ばして乾燥させたり、温風で水を蒸発させたりする乾燥装置に関するものである。
【背景技術】
【０００２】
従来、この種の乾燥装置としては、エア送風装置と、エア案内ホースと、エアタンクとを有し、このエアタンクを水道蛇口及び／又は洗面台にボルトで固定した手乾燥機が知られている（例えば、特許文献１参照。）。そして、この手乾燥機は、手を洗った後で、この手に付着した水を前記エアタンクのエア噴出ノズルから噴出されるエアによって吹き飛ばし、手を乾燥させることができる。
【先行技術文献】
【特許文献】
【０００３】
【特許文献１】特開２０００−２７１０３９号公報
【考案の概要】
【考案が解決しようとする課題】
【０００４】
しかしながら、このような乾燥装置は、エアタンクを水道蛇口にボルトで固定しなければならないため、水道蛇口の形状によっては固定が不十分であったり、そもそも固定できなかったりする虞がある。また、このような乾燥装置は、エアタンクを洗面台にボルトで固定する場合であっても、洗面台にボルト用の穴を空けなければならない等、取り付けが面倒であるという問題もあった。
【０００５】
本考案は以上の問題点を解決し、設置工事等が不要で、洗面台や流し台等に容易に設置可能な乾燥装置を提供することを目的とする。
【課題を解決するための手段】
【０００６】
本考案の請求項１に記載の乾燥装置は、電動送風機が収容された装置本体と、この装置本体に基端が接続された通風部と、この通風部の先端に接続された噴出部とを有する乾燥装置において、前記通風部又は噴出部に、洗面台や流し台に固定するための固定部を設けると共に、この固定部に吸盤を設けたものである。
【０００７】
また、本考案の請求項２に記載の乾燥装置は、電動送風機が収容された装置本体と、この装置本体に基端が接続された通風部と、この通風部の先端に接続された噴出部とを有する乾燥装置において、前記通風部又は噴出部に、洗面台や流し台に固定するための固定部を設けると共に、この固定部に粘着部材を設けたものである。
【０００８】
また、本考案の請求項３に記載の乾燥装置は、電動送風機が収容された装置本体と、この装置本体に基端が接続された通風部と、この通風部の先端に接続された噴出部とを有する乾燥装置において、前記通風部又は噴出部に、洗面台や流し台に固定するための固定部を設けると共に、この固定部に磁石を設けたものである。
【０００９】
また、本考案の請求項４に記載の乾燥装置は、電動送風機が収容された装置本体と、この装置本体に基端が接続された通風部と、この通風部の先端に接続された噴出部とを有する乾燥装置において、前記通風部又は噴出部に、洗面台や流し台に固定するための固定部を設けると共に、この固定部に挟持部材を設けたものである。
【００１０】
更に、本考案の請求項５に記載の乾燥装置は、請求項１乃至４において、前記固定部が、前記通風部又は噴出部に対し可動に設けられるものである。
【考案の効果】
【００１１】
本考案の請求項１に記載の乾燥装置は、以上のように構成することにより、前記洗面台の洗面ボウルや前記流し台のシンク等の、ほぼ平坦で滑らかな表面に前記吸盤を貼り付けることで、前記固定部、ひいては前記通風部又は噴出部を前記洗面台や流し台に固定することができる。
【００１２】
また、本考案の請求項２に記載の乾燥装置は、以上のように構成することにより、前記洗面台の洗面ボウルや前記流し台のシンク等の表面に前記粘着部材を貼り付けることで、前記固定部、ひいては前記通風部又は噴出部を前記洗面台や流し台に固定することができる。
【００１３】
また、本考案の請求項３に記載の乾燥装置は、以上のように構成することにより、前記洗面台の洗面ボウルや前記流し台のシンク等の、磁着が可能な部位に前記磁石を磁着させることで、前記固定部、ひいては前記通風部又は噴出部を前記洗面台や流し台に固定することができる。
【００１４】
また、本考案の請求項４に記載の乾燥装置は、以上のように構成することにより、前記洗面台の洗面ボウルや前記流し台のシンク等の挟持が可能な部位を前記挟持部材で挟持することで、前記固定部、ひいては前記通風部又は噴出部を前記洗面台や流し台に固定することができる。
【００１５】
更に、前記固定部を、前記通風部又は噴出部に対し可動に設けたことで、前記固定部の取付姿勢や取付位置が限定されたとしても、前記通風部又は噴出部を前記洗面ボウルやシンク等に対し自由に取り付けることができる。
【図面の簡単な説明】
【００１６】
【図１】本考案の第一の実施形態を示す乾燥装置の設置状態を示す斜視図である。
【図２】同、正面図である。
【図３】同、側面図である。
【図４】同、平面図である。
【図５】同、設置状態における噴出部近傍の拡大平面図である。
【図６】同、装置本体の概略説明図である。
【図７】本考案の第二の実施形態を示す乾燥装置の正面図である。
【図８】本考案の第三の実施形態を示す乾燥装置の正面図である。
【図９】本考案の第四の実施形態を示す乾燥装置の正面図である。
【考案を実施するための形態】
【００１７】
以下、本考案の第一の実施形態について、図１乃至図６に基づいて説明する。１は、乾燥装置の一例としての手乾燥装置である。この手乾燥装置１は、装置本体２と、この装置本体２に基端部が接続される通風部３と、この通風部３の先端部に接続される噴出部４とを有して構成される。
【００１８】
前記装置本体２の外殻体５の背面には、吸気口６が設けられる。そして、この吸気口６には、フィルタ７が着脱自在に設けられる。また、前記装置本体２の外殻体５の後上部には、排気口８が設けられる。そして、前記吸気口６と排気口８との間には、気流通路９が形成される。また、この気流通路９には、電動送風機１０が設けられる。更に、前記装置本体２の上面には、操作部１１が設けられる。
【００１９】
前記通風部３は、縦筒部１２と、ホース部１３と、横筒部１４と、屈曲部１５とを有する。前記縦筒部１２は、合成樹脂によって両端が開口した中空円筒状に構成される。そして、前記縦筒部１２は、その基端部が前記装置本体２の排気口８に接続される。一方、前記ホース部１３は、蛇腹ホースであり、屈曲自在に構成される。そして、前記ホース部１３は、その基端部が前記縦筒部１２の先端部に接続される。また、前記横筒部１４は、合成樹脂によって両端が開口した中空円筒状に構成される。そして、前記横筒部１４は、その基端部が前記ホース部１３の先端部に接続される。更に、前記屈曲部１５は、合成樹脂によって両端が開口した中空の屈曲円筒状に形成される。そして、前記屈曲部１５は、その基端部が前記横筒部１４の先端部に接続される。なお、前記屈曲部１５は、前記横筒部１４の中心軸線回りに回動可能な状態で、前記横筒部１４に接続される。
【００２０】
前記噴出部４は、前記屈曲部１５の先端に接続される接続部１６と、第一噴出口１７が設けられた第一噴出ノズル１８と、第二噴出口１９が設けられた第二噴出ノズル２０とを有する。前記各噴出ノズル１８，２０は、それぞれ前記接続部１６から分岐して設けられる。また、前記各噴出ノズル１８，２０は、それらの先端部同士が間隔Ｇを空けて設けられる。更に、前記第一噴出口１７の開口面積と前記第二噴出口１９の開口面積は、それらの和が前記通風部３の流通面積よりも小さく形成される。なお、前記噴出部４は、前記通風部３の屈曲部１５の先端における中心軸線回りに回動可能な状態で、前記屈曲部１５に接続される。また、前記各噴出ノズル１８，２０の長さは、一般的な蛇口Ｔの基端から水出口までの平面視の長さよりも短くなるように構成される。
【００２１】
更に、前記横筒部１４には、固定部２１が設けられる。この固定部２１は、筒状部２２と、支柱部２３と、吸盤支持部２４と、吸盤２５とを有して構成される。前記筒状部２２は、前記通風部３の横筒部１４とほぼ同軸となるように、この横筒部１４の外側を覆って設けられる。そして、前記筒状部２２は、前記横筒部１４の軸方向及び軸回りに動かすことができる状態で、前記横筒部１４に取り付けられる。また、前記支柱部２３は、その基端部が、前記筒状部に対し、玉継手機構を介して可動に取り付けられる。また、前記吸盤支持部２４は、前記支柱部２３の先端部に、玉継手機構を介して可動に取り付けられる。更に、前記吸盤２５は、前記吸盤支持部２４に取り付けられる。
【００２２】
なお、２６はリモートスイッチである。このリモートスイッチ２６は、前記装置本体２に対して有線接続される。そして、前記リモートスイッチ２６は、床上の任意の位置に置くことができる。なお、前記リモートスイッチ２６は、前記装置本体２に取り付けられないが、前記装置本体２の外殻体５の前部に設けられた凹所５Ａの前方に、邪魔にならないように置くことができる。
【００２３】
次に、本実施形態の作用について説明する。まず、使用者は、前記手乾燥装置１を、洗面台Ｓの横の床上に置く。この状態で、前記通風部３の縦筒部１２は、前記洗面台Ｓに沿ってほぼ直立する。そして、使用者は、前記通風部３の横筒部１４に対し、前記固定部２１を適切な位置に動かす。そして、使用者は、前記ホース部１３を屈曲させて前記横筒部１４を横向きの姿勢とする。また、使用者は、前記屈曲部１５を前記横筒部１４の軸回りに回動させたり、前記噴出部４を前記屈曲部１５の先端における中心軸線回りに回動させたりして、前記各噴出ノズル１８，２０の向きを調節する。また、使用者は、前記各噴出ノズル１８，２０が前記洗面台Ｓの蛇口Ｔを左右から挟むように、前記噴出部４を配置する。更に、使用者は、前記固定部２１の吸盤２５を前記洗面台Ｓの洗面ボウルＢに固定する。一般的に、前記洗面ボウルＢの表面は平滑なので、前記吸盤２５は、前記洗面ボウルＢに対し良好に固定される。このように、前記固定部２１の吸盤２５を前記洗面ボウルＢの表面に固定することによって、前記手乾燥装置１が設置されるので、特別な設置工事無しに前記手乾燥装置１を使用可能な状態とすることができる。
【００２４】
なお、前記洗面ボウルＢには、石鹸を置くための凹凸部が設けられていることがある。このような凹凸部には吸盤２５を固定することができないが、前述したように、前記固定部２１が前記横筒部１４に対し可動に設けられるので、このような凹凸部を避けるようにして、前記吸盤２５を前記洗面ボウルＢの平滑な部位に固定させることができる。また、前記洗面ボウルＢには、傾斜面が形成されていることがある。しかしながら、前述したように、前記筒状部２２が前記横筒部１４の軸回りに回動可能であると共に、前記筒状部２２と支柱部２３と吸盤支持部２４がそれぞれ玉継手機構を介して接続されるので、前記洗面ボウルＢの傾斜面に前記吸盤２５を固定して、前記横筒部１４，ひいてはこの横筒部１４に接続された前記屈曲部１５及び噴出部４を支持することができる。
【００２５】
そして、使用者は、前記洗面台Ｓの蛇口Ｔから流出する水Ｗで手を洗った後、前記装置本体２の上面に設けられた前記操作部１１を手で操作することで、或いは前記リモートスイッチ２６を足で操作することで、前記電動送風機１０を作動させる。このように、前記電動送風機１０が作動すると、前記装置本体２の背面に設けられた吸気口６から外気が吸引され、前記気流通路９を通って前記排気口８に送られる。そして、前記排気口８に送られた気流Ｆは、前記通風部３を通って、前記噴出部４の各噴出ノズル１８，２０の噴出口１７，１９から噴出される。この際、前記各噴出口１７，１９の開口面積の和が、前記通風部３の流通面積よりも小さいことで、前記各噴出口１７，１９から噴出される気流Ｆの流速は速くなる。そして、この速い流速の気流Ｆによって、手に付着した水Ｗを吹き飛ばし、手を乾燥させることができる。なお、手から吹き飛ばされた水Ｗは、前記洗面ボウルＢで受け止められる。また、前記吸気口６から吸引された気流Ｆに含まれる塵埃が、前記フィルタ７によって除去されるので、清浄な気流Ｆを手に吹き付けることができる。
【００２６】
なお、前述したように、前記各噴出ノズル１８，２０が前記洗面台Ｓの蛇口Ｔを左右から挟むように、前記噴出部４が配置されることで、この噴出部４の各噴出口１７，１９が前記蛇口Ｔの近傍、即ち、前記洗面ボウルＢのほぼ中央で開口する。従って、前記リモートスイッチ２６を足で操作する場合、手を洗った後で、止水動作以外に殆ど手を動かすことなく、手をそのままの位置で乾燥させることができる。また、前記噴出口１７，１９が前記洗面ボウルＢのほぼ中央で開口するので、吹き飛ばされた水Ｗを前記洗面ボウルＢで確実に受けることができる。従って、前記洗面台Ｓの近くの床や壁等が水Ｗで濡れないようにすることができる。また、前記各噴出ノズル１８，２０の長さを、一般的な蛇口Ｔの基端から水出口までの平面視の長さよりも短くしたことで、前記接続部１６が前記水栓Ｔに当接するように、前記噴出部４を最大限前方に配置したとしても、前記各噴出ノズル１８，２０の前端は、前記水栓Ｔの水出口よりも後方である。従って、水Ｗで手を洗う際に、前記各噴出ノズル１８，２０が邪魔にならないようにすることができる。また、前記各噴出ノズル１８，２０の先端に設けられた前記各噴出口１７，１９が、前記蛇口Ｔの水出口よりも後方で開口するので、前記噴出口１７，１９から水Ｗが侵入しにくくすることができる。更に、前記各噴出ノズル１８，２０が、適度な間隔Ｇを置いて設けられるので、使用者の両手を同時に良好に乾燥させることができる。
【００２７】
以上のように本考案は、電動送風機１０が収容された装置本体２と、この装置本体２に基端が接続された通風部３と、この通風部３の先端に接続された噴出部４とを有する手乾燥装置１であって、前記通風部３の横筒部１４に、洗面台Ｓ等に固定するための固定部２１を設けると共に、この固定部２１に吸盤２５を設け、この吸盤２５を、ほぼ平坦で滑らかな前記洗面台Ｓ等の表面に貼り付けることで、前記固定部２１、ひいては前記通風部３や噴出部４を前記洗面台Ｓ等に簡単に固定することができるものである。
【００２８】
また、本考案は、前記固定部２１を、前記通風部３の横筒部１４に対し可動に設けたことで、前記吸盤２５を、前記洗面台Ｓ等の傾斜した表面に貼り付けたり、凹凸が設けられた部分を避けて貼り付けたりすることで、前記固定部２１の取付姿勢や取付位置が限定されたとしても、前記通風部３や噴出部４を前記洗面台Ｓ等に対し自由に取り付けることができるものである。
【００２９】
次に、本考案の第二の実施形態について、図７に基づいて説明する。なお、上記第一の実施形態と共通する部分については、共通の符号を付し、その説明を省略する。３１は、通風部３の横筒部１４に取り付けられる固定部である。この固定部３１は、筒状部３２と、支柱部３３と、粘着部材支持部３４と、粘着部材３５とを有して構成される。前記筒状部３２は、前記横筒部１４とほぼ同軸となるように、この横筒部１４の外側を覆って設けられる。そして、前記筒状部３２は、前記横筒部１４の軸方向及び軸回りに動かすことができる状態で、前記横筒部１４に取り付けられる。また、前記支柱部３３は、その基端部が、前記筒状部３２に対し、玉継手機構を介して可動に取り付けられる。また、前記粘着部材支持部３４は、前記支柱部３３の先端部に、玉継手機構を介して可動に取り付けられる。更に、前記粘着部材３５は、前記粘着部材支持部３４に取り付けられる。
【００３０】
次に、本実施形態の作用について説明する。使用者は、前記通風部３の横筒部１４に対し、前記固定部３１を適切な位置に動かす。そして、使用者は、前記固定部３１の粘着部材３５を前記洗面台Ｓの洗面ボウルＢに貼り付ける。一般的に、前記洗面ボウルＢの表面は平滑なので、前記粘着部材３５は、前記洗面ボウルＢに対し良好に貼り付けられる。このように、前記固定部３１の粘着部材３５を前記洗面ボウルＢの表面に貼り付けることによって、前記手乾燥装置１が設置されるので、特別な設置工事無しに前記手乾燥装置１を使用可能な状態とすることができる。
【００３１】
なお、前記洗面ボウルＢには、石鹸を置くための凹凸部が設けられていることがある。このような凹凸部に前記粘着部材３５を貼り付けることは可能であるが、前述したように、前記固定部３１が前記横筒部１４に対し可動に設けられるので、このような凹凸部を避けるようにして、前記粘着部材３５を前記洗面ボウルＢの平滑な部位に固定させることが望ましい。
【００３２】
以上のように本考案は、電動送風機１０が収容された装置本体２と、この装置本体２に基端が接続された通風部３と、この通風部３の先端に接続された噴出部４とを有する手乾燥装置１であって、前記通風部３の横筒部１４に、洗面台Ｓ等に固定するための固定部３１を設けると共に、この固定部３１に粘着部材３５を設け、この粘着部材３５を前記洗面台Ｓ等の表面に貼り付けることで、前記固定部３１、ひいては前記通風部３や噴出部４を前記洗面台Ｓ等に簡単に固定することができるものである。
【００３３】
また、本考案は、前記固定部３１を、前記通風部３の横筒部１４に対し可動に設けたことで、前記粘着部材３５を、前記洗面台Ｓ等の傾斜した表面に貼り付けたり、凹凸が設けられた部分を避けて貼り付けたりすることで、前記固定部３１の取付姿勢や取付位置が限定されたとしても、前記通風部３や噴出部４を前記洗面台Ｓ等に対し自由に取り付けることができるものである。
【００３４】
次に、本考案の第三の実施形態について、図８に基づいて説明する。なお、上記各実施形態と共通する部分については、共通の符号を付し、その説明を省略する。４１は、通風部３の横筒部１４に取り付けられる固定部である。この固定部４１は、筒状部４２と、支柱部４３と、磁石支持部４４と、磁石４５とを有して構成される。前記筒状部４２は、前記横筒部１４とほぼ同軸となるように、この横筒部１４の外側を覆って設けられる。そして、前記筒状部４２は、前記横筒部１４の軸方向及び軸回りに動かすことができる状態で、前記横筒部１４に取り付けられる。また、前記支柱部４３は、その基端部が、前記筒状部４２に対し、玉継手機構を介して可動に取り付けられる。また、前記磁石支持部４４は、前記支柱部４３の先端部に、玉継手機構を介して可動に取り付けられる。更に、前記磁石４５は、前記磁石支持部４４に取り付けられる。
【００３５】
次に、本実施形態の作用について説明する。使用者は、前記通風部３の横筒部１４に対し、前記固定部４１を適切な位置に動かす。そして、使用者は、前記固定部４１の磁石４５を前記洗面台Ｓの鋼製の部分に磁着させる。このように、前記固定部４１の磁石４５を前記洗面台Ｓの鋼製の部分に磁着させることによって、前記手乾燥装置１が設置されるので、特別な設置工事無しに前記手乾燥装置１を使用可能な状態とすることができる。なお、前述したように、前記固定部４１が前記横筒部１４に対し可動に設けられるので、前記磁石４５を前記洗面台Ｓの鋼製の部分に磁着させることができるように、前記磁石４５動かすことができる。
【００３６】
以上のように本考案は、電動送風機１０が収容された装置本体２と、この装置本体２に基端が接続された通風部３と、この通風部３の先端に接続された噴出部４とを有する手乾燥装置１であって、前記通風部３の横筒部１４に、洗面台Ｓ等に固定するための固定部４１を設けると共に、この固定部４１に磁石４５を設け、この磁石４５を前記洗面台Ｓ等の磁着が可能な部位に貼り付けることで、前記固定部４１、ひいては前記通風部３や噴出部４を前記洗面台Ｓ等に簡単に固定することができるものである。
【００３７】
また、本考案は、前記固定部４１を、前記通風部３の横筒部１４に対し可動に設けたことで、前記磁石４５を、前記洗面台Ｓ等の傾斜した表面に磁着させたり、凹凸が設けられた部分を避けて磁着させたりすることで、前記固定部４１の取付姿勢や取付位置が限定されたとしても、前記通風部３や噴出部４を前記洗面台Ｓ等に対し自由に取り付けることができるものである。
【００３８】
次に、本考案の第四の実施形態について、図９に基づいて説明する。なお、上記各実施形態と共通する部分については、共通の符号を付し、その説明を省略する。５１は、通風部３の横筒部１４に取り付けられる固定部である。この固定部５１は、筒状部５２と、支柱部５３と、挟持部材支持部５４と、挟持部材５５とを有して構成される。前記筒状部５２は、前記横筒部１４とほぼ同軸となるように、この横筒部１４の外側を覆って設けられる。そして、前記筒状部５２は、前記横筒部１４の軸方向及び軸回りに動かすことができる状態で、前記横筒部１４に取り付けられる。また、前記支柱部５３は、その基端部が、前記筒状部５２に対し、玉継手機構を介して可動に取り付けられる。また、前記挟持部材支持部５４は、前記支柱部５３の先端部に、玉継手機構を介して可動に取り付けられる。更に、前記挟持部材５５は、前記挟持部材支持部５４に取り付けられる。
【００３９】
次に、本実施形態の作用について説明する。使用者は、前記通風部３の横筒部１４に対し、前記固定部５１を適切な位置に動かす。そして、使用者は、前記固定部５１の挟持部材５５で、前記洗面台Ｓにおける被挟持箇所を挟持する。このように、前記固定部５１の挟持部材５５で前記洗面台Ｓにおける被挟持箇所を挟持することによって、前記手乾燥装置１が設置されるので、特別な設置工事無しに前記手乾燥装置１を使用可能な状態とすることができる。なお、前述したように、前記固定部５１が前記横筒部１４に対し可動に設けられるので、前記挟持部材５５で前記洗面台Ｓにおける被挟持部分を挟持することができるように、前記挟持部材５５動かすことができる。
【００４０】
以上のように本考案は、電動送風機１０が収容された装置本体２と、この装置本体２に基端が接続された通風部３と、この通風部３の先端に接続された噴出部４とを有する手乾燥装置１であって、前記通風部３の横筒部１４に、洗面台Ｓ等に固定するための固定部５１を設けると共に、この固定部５１に挟持部材５５を設け、この挟持部材５５で前記洗面台Ｓ等の被挟持部分を挟持することで、前記固定部５１、ひいては前記通風部３や噴出部４を前記洗面台Ｓ等に簡単に固定することができるものである。
【００４１】
また、本考案は、前記固定部５１を、前記通風部３の横筒部１４に対し可動に設けたことで、前記挟持部材５５を、前記洗面台Ｓ等の被挟持部分に合わせて移動させることができるので、前記固定部５１の取付姿勢や取付位置が限定されたとしても、前記通風部３や噴出部４を前記洗面台Ｓ等に対し自由に取り付けることができるものである。
【００４２】
なお、本考案は以上の実施形態に限定されるものではなく、考案の要旨の範囲内で種々の変形実施が可能である。例えば、上記第一及び第二の実施形態では、吸盤や粘着部材を洗面台の洗面ボウルに固定した例を示したが、他に適当な面があれば、その面に吸盤や粘着部材を固定するようにしても良い。また、上記実施形態では、固定部は一つであるが、固定部を複数設けても良い。また、上記実施形態では、洗面台に取り付けられるものを示したが、台所等の流し台に取り付けられるようにしても良い。更に、上記各実施形態は、何れも水を風で吹き飛ばすものであるが、温風で水を乾燥させるものであっても良い。
【符号の説明】
【００４３】
１  手乾燥装置（乾燥装置）
２  装置本体
３  通風部
４  噴出部
１０  電動送風機
２１，３１，４１，５１  固定部
２５  吸盤
３５  粘着部材
４５  磁石
５５  挟持部材
Ｓ  洗面台
【図１】
0003160341.tif 000003
【図２】
0003160341.tif 000004
【図３】
0003160341.tif 000005
【図４】
0003160341.tif 000006
【図５】
0003160341.tif 000007
【図６】
0003160341.tif 000008
【図７】
0003160341.tif 000009
【図８】
0003160341.tif 000010
【図９】
0003160341.tif 000011
【手続補正書】
【提出日】平成22年4月2日(2010.4.2)
【手続補正１】
【補正対象書類名】実用新案登録請求の範囲
【補正対象項目名】請求項５
【補正方法】変更
【補正の内容】
【請求項５】
前記固定部が、前記通風部又は噴出部に対し可動に設けられることを特徴とする請求項１乃至４の何れか一項に記載の乾燥装置。